(57)【要約】      （修正有）【課題】収納しやすいソファー及びその収納構造を提供する。【解決手段】フレーム１と、フレームに取り付けられる受け部材とを備えるソファーであって、フレームは対向して立設される二つのアームレスト枠２と、アームレスト枠同士の間に跨っている跨り部材５とを含み、アームレスト枠は分解・組立可能な上側部と下側部とを含み、フレームは解体されることで重ね合わせられて収納されるようになる。ソファーを跨り部材、上側部、下側部及び受け部材に解体してソファーの内部空間を効果的になくすことによって、重ね合わせるように収納してソファーをより小さい体積を持つ構造とすることができ、容易に運搬可能になって輸送コストを低下させるばかりか、予定の場所で迅速に組み付けることも可能になる。【選択図】図１
0003232324.tif 000002
【実用新案登録請求の範囲】
【請求項１】
フレーム（１）と、該フレーム（１）に取り付けられる受け部材とを備える収納しやすいソファーであって、
前記フレーム（１）は、対向して立設される２つのアームレスト枠（２）と、前記２つのアームレスト枠（２）の間に跨っている跨り部材（５）とを含み、前記アームレスト枠（２）は、分解・組立可能な上側部（３）および下側部（４）を含み、前記フレーム（１）は、解体されることで重ね合わせられて収納されるように構成されたことを特徴とする収納しやすいソファー。
【請求項２】
前記上側部（３）は、下に開口したＣ字状を呈するとともに、２つの直立の接続部分（６）を含み、前記下側部（４）は、Ｈ字状を呈するとともに、２つの直立の受け部分（７）を含み、前記接続部分（６）の底端は上から受け部分（７）の頂端に挿入され、締付具で螺合されて止められていることで、上側部（３）および下側部（４）が同一の直立面にあることを特徴とする、請求項１に記載の収納しやすいソファー。
【請求項３】
前記受け部分（７）の頂端部に縮径部分（８）が設けられ、前記縮径部分（８）と受け部分（７）との間に環状台（９）が設けられ、前記接続部分（６）の底端は縮径部分（８）に嵌着されながら環状台（９）に受けられていることを特徴とする、請求項２に記載の収納しやすいソファー。
【請求項４】
前記受け部材は、巻かれて収納できるアームレスト外皮（１０）を含み、前記アームレスト外皮（１０）は、上から前記アームレスト枠（２）に嵌着されて前記アームレスト枠（２）を完全に包んでいることを特徴とする、請求項２に記載の収納しやすいソファー。
【請求項５】
前記上側部（３）は、前記接続部分（６）の頂端間に跨っている曲線状のアームレスト部分（１１）を含むことを特徴とする、請求項２に記載の収納しやすいソファー。
【請求項６】
前記下側部（４）は、前記受け部分（７）の中段の間に跨っているストッパロッド（１２）を含むことを特徴とする、請求項２に記載の収納しやすいソファー。
【請求項７】
前記跨り部材（５）は、前記下側部（４）の前縁間，前記下側部（４）の後縁間及び前記上側部（３）の頂端間のそれぞれに跨っている跨りロッド（１３）を含み、前記受け部材は、巻かれて収納できる受け体（１４）を含み、前記受け体（１４）は、前側から前記跨りロッド（１３）を順に接続することで、引っ張られて跨り部材（５）に跨り、受け部ともたれ部が形成されることを特徴とする、請求項１〜請求項６のいずれか一項に記載の収納しやすいソファー。
【請求項８】
前記跨りロッド（１３）の端部は、いずれも螺合部材で予定位置に固定されており、前記螺合部材は、跨りロッド（１３）に設けられたネジ穴とアームレスト枠（２）に開口された貫通孔（１５）とを含み、締付具は、貫通孔（１５）を通って該当するネジ穴に螺合されて止められていることを特徴とする、請求項７に記載の収納しやすいソファー。
【請求項９】
前記ネジ穴は跨りロッド（１３）の端面に開口され、前記貫通孔（１５）の跨り部材（５）に向かう内端口には位置決め用タブ（１６）が設けられ、前記跨りロッド（１３）の端面周縁は外へ延びて位置決め用スリーブ（１７）となり、正しく取り付けた場合、位置決め用タブ（１６）はスリーブ（１７）に挿入されて跨りロッド（１３）の回転が抑えられ、あるいは、前記アームレスト枠（２）にＵ字状プレート（１８）が設けられ、前記貫通孔（１５）は前記Ｕ字状プレート（１８）に開口され、前記跨りロッド（１３）の端部はＵ字状プレート（１８）に嵌め込まれてから締付具で螺合されて止められていることを特徴とする、請求項８に記載の収納しやすいソファー。
【請求項１０】
前記受け部材を前記跨り部材（５）に巻き付けて前記上側部（３）と下側部（４）と共に上下に重ね合わせて収納することを特徴とする請求項１〜請求項９のいずれか一項に記載のソファーの収納構造。
【考案の詳細な説明】
【技術分野】
【０００１】
本実用新案は家具の分野に関し、具体的には、ソファーに関する。
【背景技術】
【０００２】
従来のソファーはセグメント化構造とされていたが、各セグメントにおけるフレームや受け部材はいずれも工場において組み付けられており、一層分解できないものであるため、各セグメントはやはり大きな体積を持ち、輸送コスト及び部屋までの運搬難易度の向上を招き、ユーザ体験を損なってしまった。
【考案の概要】
【考案が解決しようとする課題】
【０００３】
従来技術の問題点を解決するために、本実用新案は収納しやすいソファー及びその収納構造を提供し、ソファーを上側部，下側部，跨り部材及び受け部材に解体することによって、各部品の体積を効果的に低減し、さらに運搬難易度と輸送コストを低下させ、ユーザ体験の向上を図っている。
【課題を解決するための手段】
【０００４】
フレームと、フレームに取り付けられる受け部材とを備える収納しやすいソファーであって、前記フレームは対向して立設される二つのアームレスト枠と、アームレスト枠同士の間に跨っている跨り部材とを含み、前記アームレスト枠は分解・組立可能な上側部と下側部とを含み、前記フレームは解体されることで重ね合わせられて収納されるようになる収納しやすいソファー。ソファーを跨り部材，上側部，下側部及び受け部材に解体してソファーの内部空間を効果的になくすことによって、重ね合わせるように収納してソファーをより小さい体積を持つ構造とすることができ、容易に運搬可能になって輸送コストを低下させるばかりか、予定の場所で迅速に組み付けることも可能になり、ユーザ体験の向上を図っている。アームレスト枠を上側部と下側部とに解体することで、アームレスト枠の高さを低減し、さらに収納後の体積を小さくしている。アームレスト枠同士は跨り部材で接続されるものであり、跨り部材を取り外すことで、アームレスト枠同士間の距離を低減し、さらに収納後の体積を小さくしている。
【０００５】
好ましくは、前記上側部は下へ開口したＣ字状を呈し、二つの直立の接続部分を含み、前記下側部はＨ字状を呈し、二つの直立の受け部分を含み、前記接続部分の底端は上から受け部分の頂端に挿入され締付具で螺合されて止められていることで、上側部と下側部が同一の直立面にある。上側部の頂縁は曲線状で、利用者へ快適なアームレストを提供しており、接続部分と受け部分とを直立に挿入し合って接続させることが容易になるばかりか、組み付けられやすくなる。
【０００６】
好ましくは、前記受け部分の頂端部に縮径部分が設けられ、前記縮径部分と受け部分との間に環状台が設けられ、前記接続部分の底端は縮径部分に嵌着されながら環状台に受けられている。縮径部分は直立に接続部分に挿入され、接続部分の底端口は環状台に当接していることで、上側部の重量が環状台を介して受け部分に伝達されるようになり、アームレスト枠の受け安定性が向上している。
【０００７】
好ましくは、前記受け部材は巻かれて収納できるアームレスト外皮を含み、前記アームレスト外皮は上から前記アームレスト枠に嵌着されてそれを完全に包んでいる。アームレスト外皮は取外し可能に上側部に嵌着されるため、アームレスト枠を遮蔽するとともに、取り外されることで容易に巻かれて収納されることもでき、収納体積の低減を図っている。
【０００８】
好ましくは、前記上側部は前記接続部分の頂端間に跨っている曲線状のアームレスト部分を含む。アームレスト部分は前側の方が低いＳ字状の曲線状を呈しており、跨りロッドと受け体に対する取付け箇所を提供するばかりか、利用者の腕への快適な支持をも提供でき、使用上の快適性と美観が向上している。
【０００９】
好ましくは、前記下側部は前記受け部分の中段間に跨っているストッパロッドを含む。ストッパロッドは受け部分同士間の距離を維持するとともに、受け部分と同一の直立面にあるため、下側部の体積の向上を招くことがない。
【００１０】
好ましくは、前記跨り部材は前記下側部の前縁間，前記下側部の後縁間及び前記上側部の頂端間のそれぞれに跨っている跨りロッドを含み、前記受け部材は巻かれて収納できる受け体を含み、前記受け体は前側から前記跨りロッド同士を順に接続することで、引っ張られて跨り部材に跨り、受け部ともたれ部が形成される。跨りロッドは複数本で互いに平行にされていることで、アームレスト枠同士が互いに平行に設けられるようになるとともに、それらの間の距離が一定に維持され、さらに受け体を緊張させて、利用者が座る場合や寝る場合の快適性は向上している。
【００１１】
好ましくは、前記跨りロッドの端部はいずれも螺合部材で予定位置に固定（固着）されており、前記螺合部材は跨りロッドに設けられたネジ穴とアームレスト枠に開口された貫通孔とを含み、締付具は貫通孔を通って該当するネジ穴に螺合されて止められている。跨りロッドの端部は締付具でアームレスト枠の予定位置に固定されることで、跨りロッド同士が互いに平行に設けられるようになり、受け用織物を緊張させている。
【００１２】
好ましくは、前記ネジ穴は跨りロッドの端面に開口され、前記貫通孔の跨り部材に向かう内端口には位置決め用タブが設けられ、前記跨りロッドの端面周縁は外へ延びて位置決め用スリーブとなり、正しく取り付けた場合、位置決め用タブはスリーブに挿入されて跨りロッドの回転が抑えられ、この場合、位置決め用タブはスリーブに嵌め込まれて回転防止の役割を果たしているため、円形のものとされないとともに、スリーブの内縁輪郭も位置決め用タブの外縁輪郭と同一である。
【００１３】
好ましくは、前記アームレスト枠にＵ字状プレートが設けられ、前記貫通孔は前記Ｕ字状プレートに開口され、前記跨りロッドの端部はＵ字状プレートに嵌め込まれてから締付具で螺合されて止められている。跨りロッドは断面が円形ではないことで、Ｕ字状プレートに嵌め込まれたら、回転が抑えられ、その自転による受け体からの離脱が防止され、受け体との安定的な接続が確保されている。
【００１４】
前記受け部材を前記跨り部材に巻き付けてから前記上側部と下側部と共に上下に重ね合わせて収納するソファーの収納構造。上側部，下側部及び受け部材はいずれも扁平状になり、跨り部材である跨りロッドはいずれもロッド状であり、つまり、分解により高さの小さい部品が出来、そして部品を上下に重ね合わせて体積の小さい収納構造とする。受け体は大きな表面積を有するが、跨り部材に巻き付けて収納することで、その収納後の垂直投影面積を低減するとともに、跨りロッドを縛って固定する役割をも果たしている。
【考案の効果】
【００１５】
ソファーを跨り部材，上側部，下側部及び受け部材に解体してソファーの内部空間を効果的になくすことによって、重ね合わせるように収納してソファーをより小さい体積を持つ構造とすることができ、容易に運搬可能になって輸送コストを低下させるばかりか、予定の場所で迅速に組み付けることも可能になり、ユーザ体験の向上を図っている。
【図面の簡単な説明】
【００１６】
【図１】ソファーを解体した場合の構造模式図である。
【図２】フレームを解体した場合の構造模式図である。
【図３】ソファーを解体して収納した場合の構造模式図である。
【図４】構造一による前記跨りロッドの組み付けの構造模式図である。
【図５】構造二による前記跨りロッドの組み付けの構造模式図である。
【考案を実施するための形態】
【００１７】
以下、図面と考案を実施するための手段に合わせて本実用新案の実質的な特性をさらに説明する。
【００１８】
図１に示される収納しやすいソファーはフレーム１と、フレーム１に取り付けられる受け部材とで構成され、前記フレーム１は対向して立設される二つのアームレスト枠２と、アームレスト枠２同士間に跨っている跨り部材５とを含み、前記アームレスト枠２は分解・組立可能な上側部３と下側部４とを含み、前記フレーム１は解体されることで重ね合わせられて収納されるようになる。
【００１９】
取り付ける場合、図２に示されるように、以下の手順で組み付ける。
【００２０】
まず、上側部３と下側部４を固定し、つまり、接続部分６の底端口を縮径部分８に嵌着させて環状台９に当接させ、締付具を外から接続部分６を通らせてから縮径部分８と螺合して止めておき、接続部分６と受け部分７を直立かつ同軸に固定することで、上側部３と下側部４が組み合わせて扁平状のアームレスト枠２となる。
【００２１】
その後、跨りロッド１３の両端をそれぞれ該当するアームレスト枠２の予定位置に固定することで、しっかりと接続され姿勢が安定であるフレーム１とする。
【００２２】
最後に、アームレスト外皮１０と受け体１４をフレーム１に取り付けることで、ソファーとする。
【００２３】
上記手順でソファーを組み付けば、正しく取り付けた場合、前記受け体１４は利用者を受けるようになり、利用者の重量が受け体を介して跨りロッド１３に伝達され、さらにアームレスト枠２を介して地面に伝達されるので、ソファーによる利用者への安定的かつ快適な受けが確保される。
【００２４】
収納する場合、前記受け部材を前記跨り部材５に巻き付けて前記上側部３と下側部４と共に上下に重ね合わせて収納する（図３参照）。具体的には、以下の手順で収納する。
【００２５】
まず、ソファーを上側部３，下側部４，跨りロッド１３，アームレスト外皮１０及び受け体１４に解体する。
【００２６】
その後、受け体１４を跨りロッド１３に巻き付けて上側部３と下側部４と共に上下に重ね合わせ、その際、上側部３と下側部４は巻き付けられた後の受け体１４の一方側の上方に重ね合わせられている。
【００２７】
最後に、アームレスト外皮１０をロール状に巻いてから、巻き付けられた後の受け体１４の他方側の上方に当接させる。
【００２８】
収納を完了すると、跨りロッド１３の長さによりアームレスト枠２とアームレスト外皮１０のそれぞれに対する収納空間が効果的に図られるとともに、重ね合わせによりソファーの収納後の垂直投影面積が低下し、また、各部分が薄いものになることで、収納空間の利用率が向上し、運搬と収納上の利便性が図られている。
【００２９】
本実施例では、前記上側部３は下へ開口したＣ字状を呈し、二つの直立の接続部分６を含み、前記下側部４はＨ字状を呈し、二つの直立の受け部分７を含み、前記接続部分６の底端は上から受け部分７の頂端に挿入され締付具で螺合されて止められていることで、上側部３と下側部４が同一の直立面にある。前記接続部分６同士間の距離と受け部分７同士間の距離は同じであることで、二つの接続部分６は同時に該当する受け部分７の縮径部分８に直立に嵌着されることが可能になる。
【００３０】
本実施例では、前記受け部分７の頂端部に縮径部分８が設けられ、前記縮径部分８と受け部分７との間に環状台９が設けられ、前記接続部分６の底端は縮径部分８に嵌着されながら環状台９に受けられている。前記縮径部分８の外縁輪郭は接続部分６の下端口の内縁輪郭と同一であり、前記接続部分６の下端口の外縁輪郭は前記環状台９の外縁輪郭と同一であることで、環状台９により前記接続部分６を直立かつ安定的に受け可能になり、正しく取り付けた場合、接続部分６の下端口の内側壁は縮径部分８の外側壁に密着するようになるから、接続部分６と受け部分７は常に同一の直立面にある。
【００３１】
本実施例では、前記受け部材は巻かれて収納できるアームレスト外皮１０を含み、前記アームレスト外皮１０は上から前記アームレスト枠２に嵌着されてそれを完全に包んでいる。アームレスト外皮１０によれば、アームレスト枠２は包まれて遮蔽されるとともに、利用者の腕は柔らかく支持されている。前記アームレスト外皮１０の頂部には柔らかい充填物が設けられ、底部にはストッパロッド１２と固定されるための留め具が設けられていることで、アームレスト外皮１０は安定的に前記アームレスト枠２に嵌着され接続されている。
【００３２】
本実施例では、前記上側部３は前記接続部分６の頂端間に跨っている曲線状のアームレスト部分１１を含む。前記アームレスト部分１１は接続部分６の頂端間に跨っている一方、その前部が後部よりも低く設けられていることで、アームレスト部分１１の後部では跨りロッド１３により受け体１４に関する位置決めを行え利用者がもたれることが可能になるとともに、前部では利用者の腕を効果的に受け可能になる。
【００３３】
実際には、前記下側部４は前記受け部分７の中段間に跨っているストッパロッド１２を含む。ストッパロッド１２は受け部分７に対して垂直に設けられ、溶接で固定されていることで、接続強度が確保されている。前記ストッパロッド１２は少なくとも一つであり、上側部３との協力により受け部分７同士が互いに平行に設けられるようになる。
【００３４】
実際には、前記跨り部材５は前記下側部４の前縁間，前記下側部４の後縁間及び前記上側部３の頂端間のそれぞれに跨っている跨りロッド１３を含み、前記受け部材は巻かれて収納できる受け体１４を含み、前記受け体１４は前側から前記跨りロッド１３同士を順に接続することで、引っ張られて跨り部材５に跨り、受け部ともたれ部が形成される。跨りロッド１３は前記下側部４の前縁間に跨っている前側ロッド，前記下側部４の後縁間に跨っている後側ロッド及び前記上側部３の頂端間に跨っている頂側ロッドの三つを含み、前記受け体１４は柔らかい面状材料であり、その前縁が前側ロッドに固定され、中部が後側ロッドに固定され、後縁が頂側ロッドに固定されていることで、全体としてＬ字状となり、つまり、前記した後側ロッドと頂側ロッドとの間に設けられるもたれ部、及び、後側ロッドと前側ロッドとの間に設けられる受け部が形成され、使用の時、利用者は受け部に座りながら前記もたれ部にもたれることで、快適な支持が得られている。
【００３５】
実際には、前記跨りロッド１３の端部はいずれも螺合部材で予定位置に固定されており、前記螺合部材は跨りロッド１３に設けられたネジ穴とアームレスト枠２に開口された貫通孔１５とを含み、締付具は貫通孔１５を通って該当するネジ穴に螺合されて止められている。具体的には、以下の構造があるがそれらに限らない。
【００３６】
構造一として、図４に示されるように、前記ネジ穴は跨りロッド１３の端面に開口され、前記貫通孔１５の跨り部材５に向かう内端口には位置決め用タブ１６が設けられ、前記跨りロッド１３の端面周縁は外へ延びて位置決め用スリーブ１７となり、正しく取り付けた場合、位置決め用タブ１６はスリーブ１７に挿入されて跨りロッド１３の回転が抑えられ、取り付ける場合、跨りロッド１３のスリーブ１７を予定の姿勢でその軸線方向に挿入することで、位置決め用タブ１６は周方向に回転できないようにスリーブ１７内に係合され、そして、締付具を外からアームレスト枠２と位置決め用タブ１６を通らせてから、跨りロッドの端面に設けられたネジ穴と螺合して止めることで、跨りロッド１３とアームレスト枠２はしっかりと接続されるとともに、跨りロッド１３の自転も抑えられ、受け体１４の離脱やずれが発生しない。
【００３７】
構造二として、図５に示されるように、前記アームレスト枠２にＵ字状プレート１８が設けられ、前記貫通孔１５は前記Ｕ字状プレート１８に開口され、前記跨りロッド１３の端部はＵ字状プレート１８に嵌め込まれてから締付具で螺合されて止められており、取り付ける場合、予定の向きにある跨りロッド１３の端部を該当するＵ字状プレート１８に嵌め込み、締付具を貫通孔１５を通らせてから、跨りロッド１３の端部の外側壁に開口されたネジ穴と螺合して止めることで、Ｕ字状プレート１８により跨りロッド１３の回転が抑えられながらアームレスト枠２が固定されるようになり、また、跨りロッド１３の端面がアームレスト枠２の側壁に密着し、跨りロッド１３はアームレスト枠２に対して垂直に固定されている。
【符号の説明】
【００３８】
１…フレーム、２…アームレスト枠、３…上側部、４…下側部、５…跨り部材、６…接続部分、７…受け部分、８…縮径部分、９…環状台、１０…アームレスト外皮、１１…アームレスト部分、１２…ストッパロッド、１３…跨りロッド、１４…受け体、１５…貫通孔、１６…位置決め用タブ、１７…スリーブ、１８…Ｕ字状プレート。
【図１】
0003232324.tif 000003
【図２】
0003232324.tif 000004
【図３】
0003232324.tif 000005
【図４】
0003232324.tif 000006
【図５】
0003232324.tif 000007